(57)【特許請求の範囲】
【請求項１】
互いに結合されてその内部空間内にカメラ本体を収容する第１および第２の分割ケースが備えられ、
前記第１の分割ケースにおける前記第２の分割ケースとの当接部にネジ止め部が設けられ、
前記第２の分割ケースにおける前記ネジ止め部と対向する部分に、前記第２の分割ケースの外側の表面から前記ネジ止め部と対向する対向面に貫通する貫通孔が設けられ、
前記第２の分割ケースの外側から前記貫通孔に挿入されて前記ネジ止め部にネジ込まれ、前記第１の分割ケースと前記第２の分割ケースとを固定するネジ部材が設けられ、
前記ネジ部材が挿入された前記貫通孔に前記第２の分割ケースの外側から挿入されて前記貫通孔を封止するゴム栓が設けられた車載カメラの防水構造において、
前記車載カメラが取り付けられる取付対象部材における前記貫通孔に対向する部分に、前記車載カメラが前記取付対象部材に取り付けられた取付状態において前記第２の分割ケースの外側から前記ゴム栓に当接して前記ゴム栓を押圧する突出部が設けられていることを特徴とする車載カメラの防水構造。
【請求項２】
前記ゴム栓における前記取付対象部材の前記突出部と当接する部分には、
前記突出部の前記ゴム栓に対向する先端面の一部分と当接して押圧力を受ける小突起が設けられていることを特徴とする請求項１に記載の車載カメラの防水構造。
【発明の詳細な説明】
【０００１】
【発明の属する技術分野】
本発明は、車載カメラの防水構造、特に、ネジ固定される２つの分割ケースのうちの一方の分割ケースに設けられたネジ挿通用の貫通孔について防水を行うための防水構造に関するものである。
【０００２】
【従来の技術】
図４は、本発明に係る車載カメラの防水構造が適用される車両周辺視認装置の構成を概略的に示す図である。この車両周辺視認装置は、図４に示すように、車両外面に面して車両に設置される車載カメラ１と、車室内に備えられ、車載カメラ１の撮像画像を表示する表示装置３とを備えている。車載カメラ１は、例えば車両先端部（例えばフロントグリル部等）に設置され、車両の前方側の景色（ここでは車両前方側の左右方向の景色）を撮像する。
【０００３】
車載カメラ１は、防水性のケース１１と、そのケース１１内に収容されて保持されるカメラ本体１３とを備えている。カメラ本体１３は、撮像部２１およびプリズム２３を備えている。撮像部２１は、図示しない撮像素子と、その撮像素子に映像を結像させる図示しない撮像レンズとを有している。
【０００４】
プリズム２３は、断面略二等辺三角形を有し、その頂角を撮像部２１の前記撮像素子と離反する方向に向けて前記撮像レンズの前面側に設けられ、入射した左右の撮像範囲からの光を、その内部でそれぞれ１回全反射させて、前記撮像レンズを介して前記撮像素子に入射させる。ケース１１の左右側面には、左右の撮像範囲からの光を内部に取り込むための透光性の窓部２５ａ，２５ｂがそれぞれ設けられている。
【０００５】
車載カメラ１によって撮像された車両前方の左側および右側の景色の画像は、図４に示すように表示装置３の左右の表示領域にそれぞれ表示される。
【０００６】
このような車載カメラ１のケース１１の構造およびその防水構造に関しては、以下に記載する記述が提案されている。
【０００７】
図５は提案例に係る車載カメラ１のケース１１の一部破断側面図であり、図６はそのケースの分解斜視図である。ケース１１は、図５および図６に示すように、前側の分割ケース３１と、後側の分割ケース３３と、ゴム製のパッキン３５と、複数（ここでは４つ）のタッピングネジ（ネジ部材）３７と、複数（ここで４つ）のゴム栓３９とを備えている。両分割ケース３１，３３のいずれか一方が本発明に係る第１の分割ケースに対応しており、そのいずれか他方が本発明に係る第２の分割ケースに対応しており、結合固定された両分割ケース３１，３３の内部空間内にカメラ本体１３が収容保持される。
【０００８】
前側の分割ケース３１は、樹脂（例えばポリカーボネート）製であり、その左右の側面部に窓部２５ａ，２５ｂが形成されている。前側の分割ケース３１における後側の分割ケース３３との略矩形の当接部３１ａにおける四隅には、タッピングネジ３７がねじ込まれて固定される有底孔状のネジ止め部（ネジ孔）３１ｂが設けられている。
【０００９】
後側の分割ケース３３は、金属または樹脂製であり、前側の分割ケース３１の各ネジ止め部３１ｂと対向する４箇所の部分に、分割ケース３３の外側である背面側の表面から分割ケース３１と当接する略矩形の当接部３３ａの表面に貫通する貫通孔３３ｂが設けられている。
【００１０】
パッキン３５は、略矩形状を有し、両分割ケース３１，３３の当接部３１ａ，３３ａの間に挟み込まれて防水を図る。パッキン３５の四隅には、タッピングネジ３７が挿通された状態で、ネジ止め部３１ｂおよび貫通孔３３ｂの周囲を取り囲んでシールするリング状のネジ孔封止部３５ａが設けられている。
【００１１】
ケース１１の組み立てにおいては、図５に示すように、パッキン３５を挟み込むようにして両分割ケース３１，３３を当接させた状態で、後側の分割ケース３３の背面側からタッピングネジ３７が貫通孔３３ｂ内に挿入されてネジ止め部３１ｂにねじ込まれて固定され、これによって両分割ケース３１，３３が結合固定される。ここで、分割ケース３３の背面側表面から見た貫通孔３３ｂの深さは、タッピングネジ３７がねじ込み固定された状態で、タッピングネジ３７の頭部が貫通孔３３ｂにおける分割ケース３３の背面側の開口部から所定深さだけ内方に位置する値に設定されている。
【００１２】
続いて、ゴム栓３９が、分割ケース３３の背面側から貫通孔３３ｂ内に押し込まれ、これによって、貫通孔３３ｂを介して雨水、油、薬品等がケース１１内に侵入するのが防止され、内部に侵入した雨水、油、薬品等によってカメラ本体１３や樹脂製の前側の分割ケース３１等が劣化するのが防止される。
【００１３】
このような提案例に係る車載カメラ１は、図７に示すように、ブラケット４１および遮熱板４３が取り付けられて車体に取り付けられる。ブラケット４１は、ネジ４５により後側の分割ケース３３にネジ固定される。遮熱板４３は、車体からの熱が車載カメラ１に伝わるのを防止するための部材であり、ネジ４７によりブラケット４１に取り付けられる。
【００１４】
【発明が解決しようとする課題】
上述のような提案例に係る防水構造では、ゴム栓３９が貫通孔３３ｂに押し込まれて固定されているだけであるため、ゴム栓３９の挿入量不足により防水性能の低下が生じたり、挿入量不足やいたずら等によりゴム栓３９が貫通孔３３ｂから抜け落ちてしまい、ゴム栓３９による防水性が失われてしまう等の防水に関する信頼性が低いという問題がある。
【００１５】
そこで、本発明は前記問題点に鑑み、防水に関する信頼性を向上させることができる車載カメラの防水構造を提供することを目的とする。
【００１６】
【課題を解決するための手段】
前記目的を達成するための技術的手段は、互いに結合されてその内部空間内にカメラ本体を収容する第１および第２の分割ケースが備えられ、前記第１の分割ケースにおける前記第２の分割ケースとの当接部にネジ止め部が設けられ、前記第２の分割ケースにおける前記ネジ止め部と対向する部分に、前記第２の分割ケースの外側の表面から前記ネジ止め部と対向する対向面に貫通する貫通孔が設けられ、前記第２の分割ケースの外側から前記貫通孔に挿入されて前記ネジ止め部にネジ込まれ、前記第１の分割ケースと前記第２の分割ケースとを固定するネジ部材が設けられ、前記ネジ部材が挿入された前記貫通孔に前記第２の分割ケースの外側から挿入されて前記貫通孔を封止するゴム栓が設けられた車載カメラの防水構造において、前記車載カメラが取り付けられる取付対象部材における前記貫通孔に対向する部分に、前記車載カメラが前記取付対象部材に取り付けられた取付状態において前記第２の分割ケースの外側から前記ゴム栓に当接して前記ゴム栓を押圧する突出部が設けられていることを特徴とする。
【００１７】
好ましくは、前記ゴム栓における前記取付対象部材の前記突出部と当接する部分には、前記突出部の前記ゴム栓に対向する先端面の一部分と当接して押圧力を受ける小突起が設けられているのがよい。
【００１８】
【発明の実施の形態】
図１は本発明の一実施形態に係る車載カメラの防水構造を示す一部破断側面図であり、図２は図１の防水構造に係る取付対象部材の構成を示す分解斜視図である。なお、本実施形態に係る車載カメラ１および防水構造の構成が前述の提案例に係る車載カメラ１および防水構造の構成と実質的に異なっている点は、取付対象物であるブラケット４１および遮熱板４３の構成（特に、遮熱板４３に突出部４３ａを設けた点）と、ゴム栓３９に小突起３９ａを設けた点のみであり、互いに対応する部分には同一の参照符号を付して説明を省略する。
【００１９】
本実施形態に係る防水構造では、図１および図２に示すように、後側の分割ケース３３の各貫通孔３３ｂに対向する遮熱板４３の４箇所の部分に、棒状に突出する突出部４３ａが設けられている。また、ブラケット４１には、突出部４３ａが挿通される４つの貫通孔４１ａが設けられている。
【００２０】
各突出部４３ａは、遮熱板４３がブラケット４１を介して車載カメラ１に取り付けられた際に、ブラケット４１の貫通孔４１ａを介して図１に示すように分割ケース３３の背面側からゴム栓３９に当接して押圧し、ゴム栓３９を抜け止め保持する。
【００２１】
また、ゴム栓３９における突出部４３ａと当接する部分には、図３に示すように、突出部４３ａが押圧された状態において、突出部４３ａのゴム栓３９に対向する先端面の一部分と部分的に当接して押圧力を受ける小突起３９ａが設けられている。突出部４３ａの押圧力を小突起３９ａを介してゴム栓３９に印加することにより、突出部４３ａからゴム栓３９に与えられる押圧力が適度な大きさになるように調節される。
【００２２】
以上のように、本実施形態によれば、車載カメラ１に取り付けられる遮熱板４３に、ゴム栓３９に当接して貫通孔３３ｂの内方に押圧する突出部４３ａが設けられているため、ゴム栓３９の貫通孔３３ｂ内への挿入量が不足していても車載カメラ１への遮熱板４３の取り付けに伴って、ゴム栓３９を突出部４３ａによって所定挿入量まで確実に押し込んで抜け止めすることができるとともに、挿入量不足やいたずら等によりゴム栓３９が抜け落ちるのも確実に防止することができ、その結果、ゴム栓３９の防水性能を確実に発揮させることができ、防水に関する信頼性を向上させることができる。
【００２３】
また、突出部４３ａからの押圧力が、突出部４３ａの先端面の一部分と当接する小突起３９ａを介してゴム栓３９に与えられるため、突出部４３ａにより適度な押圧力でゴム栓３９を押圧して圧縮することができ、過度な押圧力がゴム栓３９に与えらるのを防止することができる。
【００２４】
【発明の効果】
請求項１に記載の発明によれば、車載カメラが取り付けられる取付対象部材に、ゴム栓に当接して第２の分割ケースの貫通孔の内方に押圧する突出部が設けられているため、ゴム栓の貫通孔内への挿入量が不足していても車載カメラの取付対象部材への取り付けに伴って、ゴム栓を突出部によって所定挿入量まで確実に押し込んで抜け止めすることができるとともに、挿入量不足やいたずら等によりゴム栓が抜け落ちるのも確実に防止することができ、その結果、ゴム栓の防水性能を確実に発揮させることができ、防水に関する信頼性を向上させることができる。
【００２５】
請求項２に記載の発明によれば、取付対象部材の突出部からの押圧力が、突出部の先端面の一部分と当接する小突起を介してゴム栓に与えられるため、突出部により適度な押圧力でゴム栓を押圧して圧縮することができ、過度な押圧力がゴム栓に与えらるのを防止することができる。
【図面の簡単な説明】
【図１】本発明の一実施形態に係る車載カメラの防水構造を示す一部破断側面図である。
【図２】図１の防水構造に係る取付対象部材の構成を示す分解斜視図である。
【図３】ゴム栓の側面図である。
【図４】本発明に係る車載カメラの防水構造が適用される車両周辺視認装置の構成を概略的に示す図である。
【図５】提案例に係る車載カメラのケースの一部破断側面図である。
【図６】図５のケースの分解斜視図である。
【図７】車載カメラに取り付けられる提案例に係る取付対象部材の構成を示す分解斜視図である。
【符号の説明】
１  車載カメラ
３  表示装置
１１  ケース
１３  カメラ本体
３１  前側の分割ケース
３１ｂ  ネジ止め部
３３  後側の分割ケース
３３ｂ  貫通孔
３５  パッキン
３７  タッピングネジ
３９  ゴム栓
３９ａ  小突起
４１  ブラケット
４３  遮熱板
４３ａ  突出部
【図１】
0003813862.tif 000002
【図２】
0003813862.tif 000003
【図３】
0003813862.tif 000004
【図４】
0003813862.tif 000005
【図５】
0003813862.tif 000006
【図６】
0003813862.tif 000007
【図７】
0003813862.tif 000008